(57)【要約】【課題】ロック装置の簡単化を図ることができるとともに、ドアの仮ロックと本ロックを確実に行うことが可能な洗濯機を提供する。【解決手段】実施形態の洗濯機において、ロック装置は、ドアに設けられた第１被係止部材と、洗濯機本体に設けられ、第１被係止部材を係脱可能に係止してドアを洗濯機本体の内側から開くことが可能な仮ロックの状態に保持するための仮ロック用係止部材と、ドアにおいて第１被係止部材と近接した位置に設けられた第２被係止部材と、洗濯機本体において仮ロック用係止部材と近接した位置に設けられ、第２被係止部材を係脱可能に係止して、ドアを前記洗濯機本体の内側から開くことが不能な本ロックの状態に保持するための本ロック用係止部材と、を備える。【選択図】図２
2019180470.tif 000002
【特許請求の範囲】
【請求項１】
洗濯物出入口を有する洗濯機本体と、
前記洗濯物出入口を開閉するように軸支されたドアと、
前記洗濯物出入口を閉じたドアをロックするロック装置と、を具備し、
前記ロック装置は、
前記ドアに設けられた第１被係止部材と、
前記洗濯機本体に設けられ、前記第１被係止部材を係脱可能に係止して、前記ドアを前記洗濯機本体の内側から開くことが可能な仮ロックの状態に保持するための仮ロック用係止部材と、
前記ドアにおいて前記第１被係止部材と近接した位置に設けられた第２被係止部材と、
前記洗濯機本体において前記仮ロック用係止部材と近接した位置に設けられ、前記第２被係止部材を係脱可能に係止して、前記ドアを前記洗濯機本体の内側から開くことが不能な本ロックの状態に保持するための本ロック用係止部材と、
を備える洗濯機。
【請求項２】
前記仮ロック用係止部材と前記本ロック用係止部材は共通のケースに配設されることによりユニット化されたロックユニットとして、前記洗濯機本体に対して組付けられる請求項１記載の洗濯機。
【請求項３】
前記洗濯機本体において、
前記第１被係止部材を前記仮ロック用係止部材側へ受け入れる第１受け部と、
前記第２被係止部材を前記本ロック用係止部材側へ受け入れる第２受け部と、
前記第２受け部に設けられ、前記ドアを閉じるときに、前記第２被係止部材と接触することで当該第２被係止部材を前記本ロック用係止部材側へガイドするガイド面と、を備え、
前記ガイド面は、前記第１受け部で第１被係止部材を受け入れる前に、前記第２被係止部材との接触が可能に形成されている請求項１又は２記載の洗濯機。
【請求項４】
前記仮ロック用係止部材を前記第１被係止部材に係止させる方向へ付勢する付勢手段が用いられ、
前記付勢手段は、前記ドアに前記洗濯機本体の内側から押す力が作用したとき前記仮ロック用係止部材による係止を解除可能な付勢力を有する請求項１から３の何れか一項記載の洗濯機。
【発明の詳細な説明】
【技術分野】
【０００１】
本発明の実施形態は、洗濯機に関する。
【背景技術】
【０００２】
従来の洗濯機において、ドアは、洗濯などの運転をしていない時でも、ドアロック装置により閉鎖状態に保持されていて、そのドアを外側から開けることはできるが、内側から開けることができないものとなっていた。
【０００３】
そこで、万一、子供が洗濯機本体内に閉じ込められたような場合を考慮して、運転をしていない時にドアを内側から開けられるようにするために、単にドアを閉じただけの仮ロック状態では、ドアを本体内から押すことで開けることができ、運転中の本ロック状態では、ドアを確実にロックするドアロック装置が供されている。
【先行技術文献】
【特許文献】
【０００４】
【特許文献１】特開２０１７−４２３４０号公報
【発明の概要】
【発明が解決しようとする課題】
【０００５】
しかしながら、上記したドアロック装置では、仮ロック状態と本ロック状態に切換えるために複雑な機構となる上、その構成部品の寸法精度や取付け精度如何によっては、仮ロック或いは本ロックの際に部品相互間で干渉等が生じ、円滑にロック状態にできない虞がある。
【０００６】
そこで、ロック装置の簡単化を図ることができるとともに、ドアの仮ロックと本ロックを確実に行うことが可能な洗濯機を提供する。
【課題を解決するための手段】
【０００７】
実施形態の洗濯機は、洗濯物出入口を有する洗濯機本体と、前記洗濯物出入口を開閉するように軸支されたドアと、前記洗濯物出入口を閉じたドアをロックするロック装置と、を具備し、前記ロック装置は、前記ドアに設けられた第１被係止部材と、前記洗濯機本体に設けられ、前記第１被係止部材を係脱可能に係止して、前記ドアを前記洗濯機本体の内側から開くことが可能な仮ロックの状態に保持するための仮ロック用係止部材と、前記ドアにおいて前記第１被係止部材と近接した位置に設けられた第２被係止部材と、前記洗濯機本体において前記仮ロック用係止部材と近接した位置に設けられ、前記第２被係止部材を係脱可能に係止して、前記ドアを前記洗濯機本体の内側から開くことが不能な本ロックの状態に保持するための本ロック用係止部材と、を備える。
【図面の簡単な説明】
【０００８】
【図１】第１実施形態についてドアを閉じた状態の洗濯機を示す正面図
【図２】ドアを開いた状態の洗濯機の正面図
【図３】ロックユニットの拡大正面図
【図４】図３のIV−IVにおける断面図であって、第１、第２ラッチと共に示すユニットケース前面部の拡大縦断側面図
【図５】仮ロック機構を模式的に示すものであり、（ａ）及び（ｂ）は、ラッチ挿入前及びラッチ挿入後の状態における拡大平面図
【図６】第２実施形態の仮ロック機構を模式的に示す拡大平面図
【図７】第３実施形態の仮ロック機構を模式的に示す拡大平面図
【図８】第４実施形態の仮ロック機構を模式的に示すものであり、（ａ）及び（ｂ）は、ラッチ挿入前及びラッチ挿入後の状態における拡大平面図
【図９】第５実施形態の第１、第２、第３ラッチと共に示すユニットケース前面部の拡大縦断側面図
【図１０】第６実施形態を示すものであり、（ａ）は、ユニットケースの取付時の様子を模式的に表す平面図、（ｂ）及び（ｃ）は、ラッチ挿入前及びラッチ挿入後の状態における拡大平面図
【発明を実施するための形態】
【０００９】
以下、洗濯機に係る複数の実施形態について図面を参照しながら説明する。なお、各実施形態において、実質的に同一の構成要素には同一の符号を付して説明を省略する。
＜第１実施形態＞
図１、図２に例示する洗濯乾燥機１は、回転槽の回転軸が水平軸又は傾斜軸となる、いわゆる横軸型のドラム式のものであり、回転槽内の衣類を洗濯する洗濯機としての機能と、回転槽内の衣類を乾燥する衣類乾燥機としての機能を備えている。
【００１０】
洗濯乾燥機１の本体たる洗濯機本体２は、矩形箱状の筐体３を備えている。筐体３の前面３ａには、図２に示すように円形に開口する衣類出入口４が設けられている。筐体３の前面３ａには、この衣類出入口４を開閉する円形のドア５がヒンジ部６（図１にのみ図示）により回動可能に軸支されている。以下では、洗濯機本体２において衣類出入口４が位置する側を前方とし、その反対側を後方とする。また、洗濯機本体２においてヒンジ部６が位置する側を左方、その反対側を右方として説明する。
【００１１】
筐体３の内部には、ドラム７と、このドラム７を収容する水槽（図示略）が設けられている。水槽は、水を溜めることが可能な有底円筒状をなす槽であり、ドラム７は、内部に衣類を収容することが可能な有底円筒状をなす回転槽である。ドラム７の周側面には図示しない複数の貫通孔が設けられており、ドラム７の内周面には複数の図示しないバッフルが設けられている。水槽の前面開口部及びドラム７の前面開口部は、衣類出入口４に連通している。ユーザは、ドア５を開放方向に回動させて衣類出入口４を開いた開状態とすることにより、衣類出入口４を通してドラム７内に衣類を出し入れすることができる。
【００１２】
ドア５には、前方から見て右上部に位置させて手掛け部８が設けられている。また、洗濯機本体２には、その手掛け部８に対応する位置に手掛け用凹部９が設けられており、衣類出入口４を閉じた閉状態のドア５を開ける際に、ユーザは、手掛け部８に手を掛けやすくなっている。
【００１３】
そして、洗濯機本体２とドア５との間には、ドア５を閉状態でロックするためのロック装置１０が設けられている。本実施形態のロック装置１０は、ドア５を洗濯機本体２の内側から開くことが可能な仮ロックと、ドア５を洗濯機本体２の内側から開くことができない本ロックと、を各別に行う独立した仮ロック機構１１及び本ロック機構１２を備える。係る構成について、図３〜図５も参照しながら詳述する。
【００１４】
ここで、図３は、各ロック機構１１，１２をユニット化したロックユニット１３の拡大正面図、図４は、図３のIV−IVにおける断面図であって各ロック機構１１，１２で係止されるラッチ５１，５２とともに示すロックユニット１３前面部の拡大縦断側面図を示している。また、図５は、仮ロック機構１１を模式的に示す拡大平面図である。
【００１５】
先ず、ドア５に設けられるラッチ５１，５２について説明する。ラッチ５１，５２は、図２、図４に示すように、ドア５周縁部における自由端部側に配置された上下一対の第１，第２ラッチ５１，５２からなる。第１，第２ラッチ５１，５２は、何れもドア５裏面側から洗濯機本体２側へ向けて突出するように延びている。
【００１６】
このうち、図４に示す下側の第１ラッチ５１は、仮ロック用の第１被係止部材である。第１ラッチ５１は、洗濯機本体２側へ突出する幅狭な板状乃至帯状をなすとともに、その先端部に、図５（ａ）に示すように板厚方向に張り出す菱形形状の被係止部５１ａを有する。具体的には、被係止部５１ａは、第１ラッチ５１の先端に向かうほど先細り形状となるテーパ面５１ｂと、その基端側に窄む形状となるテーパ面５１ｃとで菱形をなす。また、テーパ面５１ｂとテーパ面５１ｃとのなす角は、左右方向（図５で左右方向）に張出す係止角５１ｄ，５１ｄとされている。
【００１７】
図４に示す上側の第２ラッチ５２は、本ロック用の第２被係止部材である。第２ラッチ５２は、洗濯機本体２側へ突出するやや幅狭な板状をなす。第２ラッチ５２の先端側には、その板厚方向に貫通する矩形状の被係止孔５２ａが形成されている。
【００１８】
図４に示すように、第２ラッチ５２と第１ラッチ５１は、ドア５の自由端側にて相互に近接した位置で上下方向に並び、且つラッチ５１，５２相互間で平行をなすように延びている。第２ラッチ５２の突出長Ｌ２は、第１ラッチ５１の突出長Ｌ１と同じ寸法に設定されている（Ｌ２＝Ｌ１）。また、第２ラッチ５２の幅Ｗ２（図４で上下方向の幅）は、第１ラッチ５１の幅Ｗ１よりも大きく（Ｗ２＞Ｗ１）、第２ラッチ５２の厚み（図４の紙面と直交する方向の厚み）は、第１ラッチ５１の厚みｔ０（図５（ａ）参照）よりも大きい。このように、本ロック用の第２ラッチ５２は、仮ロック用の第１ラッチ５１よりも剛性を高くしている。
【００１９】
なお、図２に示すように、ドア５周縁部における自由端部側には、ラッチ５１，５２とは別の部材であって、ラッチ５２に対して上側の近接した位置に、ドア開閉検知用の棒状部材５９が設けられている。棒状部材５９は、上記したラッチ５１，５２と略同じ突出長で、洗濯機本体２側へ延びており、当該ラッチ５１，５２と平行をなしている。棒状部材５９は、ラッチ５１，５２と同様、幅狭な板部材で形成してもよい。
【００２０】
これに対し、洗濯機本体２側には、図２に示す衣類出入口４外周部４ａにおける、ラッチ５１，５２と対応する部分に位置させてロックユニット１３が設けられている。ロックユニット１３は、そのユニットケース１４内部に、仮ロック機構１１及び本ロック機構１２を備えている。
【００２１】
具体的には、図３、図４に示すように、ユニットケース１４には、矩形状の凹部からなる第１受け部１５と第２受け部１６とが上下に並ぶように設けられ、当該ケース１４前面を覆うカバー１４ａには、各受け部１５，１６の開口１５ａ，１６ａが設けられている。第１受け部１５の開口１５ａは、第１ラッチ５１の挿入可能な大きさの矩形状に形成され、第２受け部１６の開口１６ａは、第２ラッチ５２の挿入可能な大きさの矩形状に形成されている。
【００２２】
第２受け部１６の開口１６ａ周縁には、前方に向かって拡がるように縦断面「ハ」字状（図４参照）に拡開したガイド部１７が設けられている。ガイド部１７は、カバー１４ａ表面から前方へ張出すように形成されているとともに、開口１６ａに連なるように傾斜したガイド面１７ａを有する。これにより、ガイド面１７ａは、ドア５を閉じる際に第２ラッチ５２と接触したとき当該ラッチ５２を第２受け部１６へガイドするようになっている。
【００２３】
図５（ａ）に示すように、第１受け部１５内には、仮ロック用係止部材２０，２１が配設されている。仮ロック用係止部材２０，２１については、左右に対向するように配置され、且つ左右で対称的な構造を備える。
【００２４】
詳細には、仮ロック用係止部材２０，２１は、前記開口１５ａ側を先端側とし、その先端側にて相互に向かいあう山形状の爪部２０ａ、２１ａを有する。仮ロック用係止部材２０，２１は、基端側にて軸部２２，２３により回動可能に支持されている。仮ロック用係止部材２０，２１における爪部２０ａ，２１ａの背面側の位置には、付勢手段としてのバネ部材２４，２５が配置されている。バネ部材２４，２５は、圧縮コイルバネであり、その一端部が第１受け部１５の側壁１５ｂ，１５ｃに掛け止められ、他端部で爪部２０ａ，２１ａの背面側を付勢する。
【００２５】
こうして、仮ロック用係止部材２０，２１は、バネ部材２４，２５により、爪部２０ａ，２１ａの頂点２０ｂ，２１ｂ間の隙間を狭める方向（矢印Ａ方向）に付勢されている。ドア５を閉じるとき、第１ラッチ５１は、第１受け部１５の開口１５ａから受け入れられ、図４に示す位置まで侵入する。この場合、仮ロック用係止部材２０，２１は、図５（ｂ）に示すように、第１ラッチ５１の被係止部５１ａを爪部２０ａ、２１ａで挟み込んで係止し、バネ部材２４，２５の付勢力により、当該ラッチ５１を保持した仮ロックの状態となる。ここで、仮ロックの状態とは、係る係止部材２０，２１の係止によりドア５の閉状態（衣類出入口４の閉鎖状態）を保持する一方、ドア５に洗濯機本体２の内側から開放方向へ所定以上の操作力が作用すると、その係止部材２０，２１による係止の解除が可能な状態を称するものである。この場合、バネ部材２４，２５は、ドア５に当該操作力（例えば５ｋｇｆ以上の押す力）が作用したとき、仮ロック用係止部材２０，２１による係止を解除可能な付勢力に設定されている。
【００２６】
具体的には、ドア５を開く際、第１ラッチ５１が前方（図５（ｂ）で上方）へ移動することに伴い、当該ラッチ５１の係止角５１ｄ，５１ｄが爪部２０ａ，２１ａの頂点２０ｂ，２１ｂに至るまで、バネ部材２４，２５の付勢力に抗して、係止部材２０，２１を押し広げる方向（矢印Ａ方向とは反対方向）へ回動させる。また、第１ラッチ５１は、その係止角５１ｄ，５１ｄが爪部２０ａ，２１ａの頂点２０ｂ，２１ｂを通過した時点で、係止部材２０，２１による係止が解除される。それ故、バネ部材２４，２５は、前記操作力が作用したときに、第１ラッチ５１の被係止部５１ａにおける最大厚みＴの分、爪部２０ａ，２１ａを離間させること（係止角５１ｄ，５１ｄの通過を許容すること）が可能な付勢力に設定されている。上記した仮ロック用係止部材２０，２１、バネ部材２４，２５、及び第１受け部１５は、仮ロック機構１１に相当する。
【００２７】
上記した仮ロック用係止部材２０，２１における、爪部２０ａ，２１ａの頂点２０ｂ，２１ｂ間の開口面積は、バネ部材２４，２５で狭められることにより、第１ラッチ５１における厚みＴ部分の断面積よりも小さくなっている。このため、図３に示す仮ロック用係止部材２０，２１間の開口Opから第１受け部１５内に、異物が入り難く、又、その開口Opを本ロック用の開口１６ａに比して小さくすることができる。
【００２８】
なお、図３に示すように、ユニットケース１４のカバー１４ａには、その上部に位置させて円形の開口１９が形成されている。この開口１９は、前記棒状部材５９に対応するドア開閉検知用の開口である。また、ユニットケース１４内部には、この開口１９に合せてドア開閉検知装置２９が配設されている。ドア開閉検知装置２９は、プッシュプランジャ形の作動部２９ａを有するリミットスイッチで構成されている。つまり、ドア開閉検知装置２９は、その作動部２９ａ（ボタン部）が、ドア５を閉じる際に開口１９から侵入した棒状部材５９に押圧されることに伴いオンとなる。ドア開閉検知装置２９は、後述する制御装置に接続され、ドア５の開閉を検知する。
【００２９】
他方、ユニットケース１４内部には、第２受け部１６の側方（図３で右側）に位置して、本ロック用係止部材３０が移動可能に配置されている。本ロック用係止部材３０は、第２ラッチ５２の被係止孔５２ａに挿通可能な四角柱状をなしている（図４参照）。また、図３に示すように、ユニットケース１４内部には、本ロック用係止部材３０を動作させる電磁ソレノイド３１を備える。電磁ソレノイド３１は、本ロック用係止部材３０の挿通方向に合わせた横向きに配置され、当該ソレノイド３１のプランジャ３１ａ先端に、本ロック用係止部材３０が一体的に設けられている。電磁ソレノイド３１は、洗濯乾燥機１の動作全般を制御する制御装置により駆動制御される。
【００３０】
本ロック用係止部材３０の移動する方向は、第２ラッチ５２の突出する方向と交わる方法（直交する方向）であり、図３では、本ロック用係止部材３０が本ロック解除位置に移動した状態を示している。この状態では、本ロック用係止部材３０の先端が、第２ラッチ５２の被係止孔５２ａの右方に臨む位置にある。前記制御装置により電磁ソレノイド３１が通電されて本ロック動作すると、プランジャ３１ａが矢印Ｂ方向に移動される。これに伴い、本ロック用係止部材３０が同Ｂ方向に移動され、本ロック解除位置から本ロック位置へ移動される。これにより、本ロック用係止部材３０は、第２ラッチ５２の被係止孔５２ａに挿通されて当該ラッチ５２を係止した本ロックの状態となる。ここで、本ロックの状態とは、係る係止部材３０の係止によりドア５の閉状態を保持することで、ドア５を洗濯機本体２の内側から開くことが不能な状態を称するものである。
【００３１】
また、本ロック用係止部材３０には、自身の位置を検知するための突起３０ａが一体的に設けられている。即ち、ユニットケース１４内部には、第２受け部１６の近傍に位置させて本ロック検知装置３９が配設されている。本ロック検知装置３９は、レバー形の作動部３９ａを有するリミットスイッチで構成されている。本ロック検知装置３９は、係止部材３０が本ロック位置へ移動されることに伴い、その係止部材３０の突起３０ａと作動部３９ａとが当接することでオンとなり、係止部材３０の本ロック位置への移動を検知する。この本ロック検知装置３９は、制御装置に接続されている。
【００３２】
上記した本ロック用係止部材３０、電磁ソレノイド３１、及び第２受け部１６は、本ロック機構１２に相当する。本ロック機構１２及び仮ロック機構１１並びにドア開閉検知装置２９及び本ロック検知装置３９は、予め共通のユニットケース１４内に組付けられることによりユニット化されたロックユニット１３として、ユニットケース１４ごと衣類出入口４の外周部４ａの位置に組付けられる。この組付けは、当該外周部４ａにおける被取付け面（後述する図１０（ａ）の面１００参照）に対して、ユニットケース１４の取付け部１４ｂに挿通される取付用ネジ９２（図３にのみ図示）で固定することにより行う。この組付け時におけるユニットケース１４の位置調整について、詳しくは後述する。
【００３３】
続いて、上記構成の作用について説明する。図２に示すように、ドア５が開放された開状態において、本ロック用係止部材３０は本ロック解除位置にある。即ち、制御装置は、ドア開閉検知装置２９の検知信号に基づいて、ドア５が開状態にあると判定した場合、電磁ソレノイド３１の駆動を禁止することで、本ロック用係止部材３０の本ロック解除位置を保持する。このため、ドア５を閉じる際に、第２ラッチ５２が本ロック用係止部材３０と衝突することはない。
【００３４】
ドア５を閉じる際、各ラッチ５１，５２が受け部１５，１６に受け入れられる。このとき、図４に示すように、第２受け部１６の開口１６ａ周縁には、前方に向かって張出すガイド部１７が形成されているため、開口１６ａの手前で第２ラッチ５２先端がガイド面１７ａに接触すると、そのガイド面１７ａに沿って第２ラッチ５２が開口１６ａへ案内されるとともに、第１ラッチ５１が開口１５ａに案内されるようにして、各々の受け部１５，１６に受け入れられる（図４参照）。
【００３５】
また、この場合、図５（ａ）に示すように第１受け部１５の開口１５ａから侵入する第１ラッチ５１は、その係止角５１ｄ，５１ｄが爪部２０ａ，２１ａの頂点２０ｂ，２１ｂに至るまで、バネ部材２４，２５の付勢力に抗して、仮ロック用係止部材２０，２１を押し広げる方向へ回動させる。そして、第１ラッチ５１は、その係止角５１ｄ，５１ｄが爪部２０ａ，２１ａの頂点２０ｂ，２１ｂを通過すると、当該爪部２０ａ，２１ａによりＡ方向に挟み込まれる（図５（ｂ）参照）。これにより、仮ロック用係止部材２０，２１は、第１ラッチ５１を仮ロックの状態に保持する。また、このとき、前記棒状部材５９（図２にのみ図示）がドア開閉検知装置２９の作動部２９ａ（図３参照）を押圧した状態が保持され、ドア５の閉状態が検知される。
【００３６】
この仮ロックの状態では、第１ラッチ５１のテーパ面５１ｃの形状、及び上記したバネ部材２４，２５の付勢力の設定が相俟って、ドア５に開放方向へ例えば５ｋｇｆ以上の操作力が作用すれば、第１ラッチ５１に対する爪部２０ａ，２１ａの係止が円滑に外れて、ドア５を開放させることが可能となる。このため、万一、子供が衣類出入口４からドラム７内に入った状態で、ドア５が閉められ仮ロックの状態となったとしても、ドア５の内側からドア５を５ｋｇｆ以上の操作力で押すことで、ドア５を容易に開けることができる。なお、仮ロックの状態では、洗濯機本体２の外側からドア５の手掛け部８に手を掛けて手前に引くことで、第１ラッチ５１に対する爪部２０ａ，２１ａの係止が解除され、ドア５を開けることもできる。
【００３７】
こうして、ドア５が閉じられ、仮ロック機構１１で仮ロックがなされた後（つまりドア開閉検知装置２９でドア５の閉状態が検知された後）、洗濯乾燥機１において洗濯運転を開始させる際には、制御装置により電磁ソレノイド３１を通電してロック動作させる。これにより、本ロック用係止部材３０は、電磁ソレノイド３１のプランジャ３１ａとともに矢印Ｂ方向（図３参照）に移動され、本ロック解除位置から本ロック位置へ移動される。このとき、第２受け部１６に受け入れられている第２ラッチ５２の先端部において、被係止孔５２ａに本ロック用係止部材３０が挿通されることで、係止された本ロックの状態となる。また、この場合、制御装置は、本ロック検知装置３９の検知信号に基づき、係止部材３０の本ロック位置を検知したことを条件に洗濯運転を開始する。このため、本ロック位置まで係止部材３０が確実に移動されるようになっており、係る本ロックの状態では、ドア５に開放方向へ前記操作力が作用したとしても、又、洗濯機本体２の外側からドア５の手掛け部８に手を掛けて手前に引いても、その本ロック用係止部材３０による係止を解除することができず、ドア５を開けることはできない。
【００３８】
なお、洗濯乾燥機１において、洗濯運転に係る一連の行程（或いは乾燥行程を含む一連の行程）が終了すると、本ロック用係止部材３０が電磁ソレノイド３１により矢印Ｂ方向とは反対の方向に移動される。この場合、制御装置は、本ロック検知装置３９の検知信号に基づき、係止部材３０を本ロック解除位置まで移動させるように電磁ソレノイド３１を制御する。これにより、本ロックの状態が確実に解除され、ドア５を開けることができる。
【００３９】
ドア５が開くことに伴い、制御装置は、ドア開閉検知装置２９の検知信号に基づき、ドア５が開状態にあると判定すると、再びドア５の閉状態を検知するまで電磁ソレノイド３１の駆動を禁止する。つまり、制御装置は、ドア開閉検知装置２９によるドア５の開閉の検知と本ロック検知装置３９による係止部材３０の位置の検知により、ドア５を閉じるときに第２ラッチ５２と係止部材３０が衝突しないように電磁ソレノイド３１を制御することができる。
【００４０】
以上説明したように、本実施形態の洗濯乾燥機１におけるロック装置１０は、ドア５に設けられた第１ラッチ５１と、洗濯機本体２に設けられ、第１ラッチ５１を係脱可能に係止して、ドア５を洗濯機本体２の内側から開くことが可能な仮ロックの状態に保持するための仮ロック用係止部材２０，２１と、ドア５において第１ラッチ５１と近接した位置に設けられた第２ラッチ５２と、洗濯機本体２において仮ロック用係止部材２０，２１と近接した位置に設けられ、第２ラッチ５２を係脱可能に係止して、ドア５を洗濯機本体２の内側から開くことが不能な本ロックの状態に保持するための本ロック用係止部材３０と、を備える。
【００４１】
これによれば、仮ロック用係止部材２０，２１と本ロック用係止部材３０により、第１ラッチ５１と第２ラッチ５２を各々係止して、仮ロックと本ロックを各別に行うことができ、仮ロックと本ロックに係る構成について簡単化を図り安価なものとすることができる。また、仮ロック用係止部材２０，２１と本ロック用係止部材３０、或いは第１ラッチ５１と第２ラッチ５２は、相互に近接した位置に設けられる別個の部材であるため、各々の部材２０，２１，３０，５１，５２で求められる寸法精度や取付け精度を出し易く、仮ロックと本ロックを確実に行うことが可能となる。
【００４２】
また、ロック装置１０は、ドア５においてラッチ５１，５２と近接した位置に設けられたドア開閉用の棒状部材５９（当接部材５９）と、洗濯機本体２において係止部材２０，２１，３０と近接した位置に設けられ、棒状部材５９と当接することによりドア５の開閉を検知するドア開閉検知装置２９と、を備える。これによれば、当接部材５９やドア開閉検知装置２９で求められる取付け精度を出し易くすることができ、又、係る構成の簡単化を図ることができる等、上記と同様の効果を奏する。
【００４３】
仮ロック用係止部材２０，２１を含む機構１１と本ロック用係止部材３０を含む機構１２は、共通のケース１４に配設されることによりユニット化されたロックユニット１３として、洗濯機本体２に対して組付けられる。これによれば、ロックユニット１３の洗濯機本体２に対する組付け時に、各ラッチ５１，５２に対する係止部材２０，２１，３０の位置合わせを一度に行うことができ、組付け作業の簡単化を図ることができる。なお、ロックユニット１３として、ドア開閉検知装置２９及び本ロック検知装置３９も含めたユニット化により、総じて組付け易いものとなることは勿論である。
【００４４】
第２受け部１６のガイド面１７ａは、第１受け部１５で第１ラッチ５１を受け入れる前に、第２ラッチ５２との接触が可能に形成されている。これによれば、第２ラッチ５２を、例えば第１ラッチ５１に比して剛性が高いものとして、ガイド面１７ａに沿って第２受け部１６へ円滑且つ確実に案内することができるとともに、第１ラッチ５１をも第１受け部１５へ確実に案内することが可能となる。
【００４５】
また、第１ラッチ５１の被係止部５１ａに、仮ロック用係止部材２０，２１に係脱する方向に対して傾斜したテーパ面５１ｂ，５１ｃが形成され、又、仮ロック用係止部材２０，２１の爪部２０ａ，２１ａに、山形状のテーパ面が形成されているため、仮ロックとその解除をスムーズに行い、応力集中に起因する破損や変形等を防止することができる。
【００４６】
バネ部材２４，２５は、ドア５に洗濯機本体２の内側から押す力が作用したとき仮ロック用係止部材２０，２１による係止を解除可能な付勢力を有する。これによれば、仮ロックに係る機構１１について、バネ部材２４，２５を用いた安価で且つ簡単な構成とすることができる。
【００４７】
仮ロック用係止部材２０，２１は、基端側にて軸部２２，２３により回動可能に支持されている。係る構成によれば、本実施形態と異なり係止部材を左右方向にスライド可能に構成した場合に比して、仮ロック機構１１全体を小型なものとすることができる。
【００４８】
また、本実施形態では、一対の仮ロック用係止部材２０，２１を備えるため、そのうち一方が係止部材として機能しなくなった場合でも、他方が係止部材として機能しうるため、仮ロックの機能を永く維持することが可能となる。
【００４９】
＜その他の実施形態＞
図６〜図１０は、本発明の第２〜第６実施形態を示している。以下では、既述した実施形態と実質的に異なる点について述べることとする。
【００５０】
図６に示す第２実施形態の仮ロック用係止部材６０，６１は、第１実施形態の係止部材２０，２１と次の点で相違する。即ち、仮ロック用係止部材６０，６１は、例えばゴム製のゴム部材で構成されている。仮ロック用係止部材６０，６１の基端側は、第１受け部１５の奥壁１５ｄに取付け固定されている。このため、第１実施形態のバネ部材２４，２５や軸部２２，２３といった部品は省略されており、本第２実施形態の仮ロック用係止部材６０，６１自身が付勢部材として機能する。
【００５１】
ドア５を閉じるとき、図６に示すように第１受け部１５の開口１５ａから侵入する第１ラッチ５１は、その係止角５１ｄ，５１ｄが爪部２０ａ，２１ａの頂点２０ｂ，２１ｂに至るまで、仮ロック用係止部材６０，６１先端側を押し広げる方向（同図の矢印Ｃ方向）へ撓ませる。そして、第１ラッチ５１は、その係止角５１ｄ，５１ｄが爪部２０ａ，２１ａの頂点２０ｂ，２１ｂを通過すると、前記ゴムの可撓性（弾性力）により、仮ロック用係止部材６０，６１の爪部２０ａ，２１ａで挟み込まれ、係止される（図示略）。これにより、仮ロック用係止部材６０，６１は、第１ラッチ５１を仮ロックの状態に保持する。
【００５２】
また、仮ロック用係止部材６０，６１は、仮ロックの状態においてドア５に洗濯機本体２の内側から押す前記の操作力が作用したとき、矢印Ｃ方向へ撓んで、第１ラッチ５１の係止が外れることにより、ドア５を開放させることが可能となる。このように、本第２実施形態においては、仮ロックに係る機構１１について、付勢手段としてゴム製の係止部材６０，６１を用いることにより、部品点数を少なくして、より安価で簡単な構成とすることが可能となる。
【００５３】
図７に示す第３実施形態の仮ロック用係止部材７０，７１には、第１実施形態の爪部２０ａ，２１ａに代えて、平面視にて半円状をなす曲面部７０ａ，７１ａが形成されている。これにより、仮ロック用係止部材７０，７１の突起部は、曲率を有する表面形状とされている。また、同図に示すように、本第３実施形態の第１ラッチ７３の被係止部７３ａは、菱形形状に代わる円筒状の表面形状を有する。
【００５４】
ここで、ドア５を閉じるとき、図７に示すように第１受け部１５の開口１５ａから侵入する第１ラッチ７３は、被係止部７３ａの円筒部分が係止部材７０，７１の曲面部７０ａ，７１ａと摺接しながら、バネ部材２４，２５の付勢力に抗して、当該係止部材７０，７１を押し広げる方向へ回動させる。そして、第１ラッチ７３は、その円筒部分が係止部材７０，７１の曲面部７０ａ，７１ａの中間を通過すると、当該曲面部７０ａ，７１ａによりＡ方向に挟み込まれ、係止される（図示略）。これにより、仮ロック用係止部材７０，７１は、第１ラッチ７３を仮ロックの状態に保持する。
【００５５】
このように、本第３実施形態においては、第１ラッチ７３の被係止部７３ａや係止部材７０，７１の突起部に、各々曲面部が形成されているため、仮ロックとその解除を、よりスムーズに行うことができる。
【００５６】
図８（ａ）（ｂ）に示すように、第４実施形態の第１ラッチ８３には、菱形形状の被係止部５１ａに代えて、板厚方向に貫通する被係止孔８３ａが形成されている。また、本第４実施形態の仮ロック用係止部材８０は、例えば棒状をなす一のゴム部材で構成されている。仮ロック用係止部材８０は、その一端が第１受け部１５の側壁１５ｃに取付け固定され、他端が第１ラッチ８３と交わる方向（例えば直交する方向）に延びる自由端部とされている。また、仮ロック用係止部材８０は、ドア５が閉じられる際、第１受け部１５に侵入する第１ラッチ８３に対して接触可能に突き出している。
【００５７】
ドア５を閉じるとき、図８（ａ）に示すように第１受け部１５の開口１５ａから侵入する第１ラッチ８３は、その側面で仮ロック用係止部材８０の先端部と当接しながら、当該係止部材８０を侵入方向へ撓ませる。そして、第１ラッチ８３は、その被係止孔８３ａが係止部材８０の先端部と接触する位置まで侵入すると、被係止孔８３ａに当該先端部が嵌り込むことにより係止される（図８（ｂ）参照）。これにより、仮ロック用係止部材８０は、第１ラッチ８３を仮ロックの状態に保持する。
【００５８】
また、仮ロック用係止部材８０は、仮ロックの状態においてドア５に洗濯機本体２の内側から押す前記の操作力が作用したとき、第１ラッチ８３の引き抜かれる方向へ撓んで、第１ラッチ８３の被係止孔８３ａから外れることにより、ドア５を開放させることが可能となる。このように、本第４実施形態においては、仮ロックに係る機構１１について、ゴム製の一の仮ロック用係止部材８０を用いた構成とすることで、部品点数をより少なくすることができ、より安価で簡単な構成とすることが可能となる。
【００５９】
図９に示すように、第５実施形態のロックユニット１３´は、図４の第１実施形態のロックユニット１３との対比から明らかなように、本ロック機構１２の第２受け部１６´の上方に、もう一つの仮ロック機構１１の第１受け部１５を備えている。つまり、ロックユニット１３´は、上下一対の仮ロック機構１１，１１で仮ロックを行い、その中央部の本ロック機構１２で本ロックを行うようになっている。また、本第５実施形態の本ロック機構１２では、第２受け部１６´内の前後方向のスペースが、第１実施形態の第２受け部１６内の前後方向のスペースよりも広くなっている。これに合わせて、図９に示す本ロック用係止部材３０や、電磁ソレノイド３１は、奥方へずらした位置にある。
【００６０】
他方、ドア５の自由端側には、第２ラッチ５２´の上方に位置させて、もう一つの第３ラッチ５１が設けられている。この第３ラッチ５１と第１ラッチ５１は、上下一対の仮ロック機構１１，１１と対応する。また、本第５実施形態の第２ラッチ５２´は、その突出長Ｌ２´が第１，第３ラッチ５１，５１の突出長Ｌ１よりも大きく（Ｌ２´＞Ｌ１）、第２受け部１６´内の奥方で、本ロック用係止部材３０により係脱可能に係止される。
【００６１】
以上説明したように、本第５実施形態のロックユニット１３´は、もう一つの仮ロック機構１１で仮ロックの機能を担保することができる。また、上記したように仮ロック機構１１は比較的コンパクトな構成とすることができるので、一対の仮ロック機構１１，１１を配設しても、全体の大型化を抑制することができる。
【００６２】
第２ラッチ５２´の突出長Ｌ２´は、第１，第３ラッチ５１，５１の突出長Ｌ１よりも大きいため、第２受け部１６´での第２ラッチ５２´の受け入れは、第１受け部１５，１５での第１，第３ラッチ５１，５１の受け入れ前となる。それ故、第２ラッチ５２´がガイド面１７ａと接触することで、より確実に第２受け部１６へ案内することができるとともに、第１，第３ラッチ５１も第１受け部１５，１５へより確実に案内することができる。
【００６３】
図１０（ｂ）は、第６実施形態のユニットケース１４における第１受け部９０を模式的に表す平面図であり、図１０（ｃ）は、フック状の第１ラッチ９１が第１受け部９０に侵入した状態を示している。また、図１０（ａ）は、ユニットケース１４を、前記被取付け面１００に取付けるときの様子を模式的に表す平面図である。
【００６４】
図１０（ｃ）に示すように、第１ラッチ９１は、その先端部に円弧面９１ａを有するとともに、側方へ突起する爪部９１ｂを有しており、基端側のドア５にて図示しない軸部により回動可能に設けられている。第１ラッチ９１は、図示しない付勢手段（例えばバネ）により、矢印Ｄ方向に付勢されている。また、第１ラッチ９１は、ドア５の手掛け部８に手を掛けて手前側へ引くと、バネの付勢力に抗して矢印Ｄ方向とは反対方向に回動される。
【００６５】
図１０（ｂ）に示すように、第１受け部９０の内部には、その開口９０ａに臨む位置に、仮ロック用係止部材９５が設けられている。仮ロック用係止部材９５は、ユニットケース１４の前面に沿って、開口９０ａを狭めるように配置されている。仮ロック用係止部材９５は、その縁部である先端の後面側を係止部とし、基端側となる第１受け部９０の側壁９０ｂにて固定されている。
【００６６】
ドア５を閉じるとき、第１ラッチ９１は、第１受け部９０の開口９０ａにおける係止部材９１の先端側から侵入し、当該ラッチ９１の爪部９１ｂが当該係止部材９５の縁部で係止され、前記Ｄ方向の付勢力により仮ロックの状態に保持される。
【００６７】
ここで、第１ラッチ９１は、前記侵入方向先端側に円弧面９１ａを有し、又、回動可能に軸支されているため、比較的スムーズな仮ロックとその解除が可能であるが、取付け精度が悪いと、仮ロックやその解除をスムーズにできない事態も生じうる。例えば、図１０（ａ）、（ｃ）に誇張して示すように、ユニットケース１４が本来よりも傾いて取付けられることにより、第１ラッチ９１の爪部９１が仮ロック用係止部材９５の縁部で拗れることも想定される。
【００６８】
この点、ユニットケース１４は、その取付け部１４ｂにて取付用ネジ９２（何れも図３にのみ図示）で固定されるのであるが、図１０（ａ）に示すように、取付用ネジ９２とは別の調整用ネジ９３により位置調整を可能としている。即ち、ユニットケース１４には位置調整手段として、調整用ネジ９３に螺合されるネジ孔部１４ｃが設けられ、その調整用ネジ９３が被取付け面１００に対して螺挿されるとともに、ネジ孔部１４ｃに螺合される。これにより、被取付け面１００に対するユニットケース１４の前後方向の位置や向きを調整することができる。また、この調整により、第１ラッチ９１のみならず、第２ラッチ５２に対する位置合わせを行うことができる。
【００６９】
他の実施形態として、本ロックの状態に保持するための手段として、電磁ソレノイド３１に代えて、モータを用いるようにしてもよい。
また、ドア５の開閉を検知する手段として、プッシュプランジャ形の作動部２９ａを有するリミットスイッチに代えて、レバー形の作動部を有するリミットスイッチを用いるようにしてもよい。更に、本ロック用係止部材３０の本ロック位置への移動を検知する手段として、レバー形の作動部３９ａを有するリミットスイッチに代えて、本ロック位置へ移動した係止部材３０を非接触で検知する近接センサを用いるようにしてもよい。このように各検知手段の構成は、適宜変更しうるものである。
【００７０】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
図面中、１は洗濯乾燥機（洗濯機）、２は洗濯機本体、４は衣類出入口（洗濯物出入口）、５はドア、１０はロック装置、１３，１３´はロックユニット、１４はユニットケース（ケース）、１５は第１受け部、１６，１６´は第２受け部、１７ａはガイド面、２０，２１，７０，７１，８０は仮ロック用係止部材、１４，２５はバネ部材（付勢手段）、３０は本ロック用係止部材、５１，７３，８３，９１は第１ラッチ（第１被係止部材）、５２，５２´は第２ラッチ（第２被係止部材）、６０，６１は仮ロック用係止部材（付勢手段）を示す。
【図１】
2019180470.tif 000003
【図２】
2019180470.tif 000004
【図３】
2019180470.tif 000005
【図４】
2019180470.tif 000006
【図５】
2019180470.tif 000007
【図６】
2019180470.tif 000008
【図７】
2019180470.tif 000009
【図８】
2019180470.tif 000010
【図９】
2019180470.tif 000011
【図１０】
2019180470.tif 000012